(57)【特許請求の範囲】
【請求項１】
第１の金型を用い、所定の樹脂材料を射出成形することにより、有天略筒状の一次成形体を成形する工程と、第２の金型内に、上記一次成形体を配置し、その周囲に透明樹脂材料を射出成形することにより、上記一次成形体の天面および側面を覆って上記一次成形体と一体化する有天略筒状の二次成形体を成形する工程とを備え、上記第２の金型として、この金型によって得られる二次成形体の下端縁近傍にパーティングラインが形成されるよう構成されたものであって、その射出ゲートが、上記パーティングライン近傍に配置され、かつ二次成形体成形空間のうち、二次成形体の天面成形用空間の平均厚みが、同じく二次成形体の側面成形用空間の平均厚みの１．０５〜３．０倍に設定されたものを用いるようにしたことを特徴とする二色成形体の製法。
【請求項２】
請求項１記載の製法によって得られる二色成形体であって、有天略筒状の一次成形体と、その天面および側面を覆う有天略筒状の透明な二次成形体とが一体化され、上記二次成形体のパーティングライン近傍に、二次成形体の射出成形時のゲート跡が残されているとともに、上記二次成形体における天面の平均厚みが、同じく二次成形体における側面の平均厚みの１．０５〜３．０倍に設定されていることを特徴とする二色成形体。
【請求項３】
化粧料の色見本付きテスターであって、内部に化粧料を収容する有天略筒状の胴体部と、上記胴体部の上面に取り付け固定される色見本とを備え、上記色見本が、請求項２に記載された二色成形体によって構成され、上記二色成形体の一次成形体が、胴体部の内部に収容される化粧料と同一の色の着色樹脂で形成されているとともに、上記色見本を構成する二次成形体に残るゲート跡が、上記胴体部の一部もしくは他の部材によって隠されていることを特徴とする色見本付きテスター。
【請求項４】
上記胴体部の上面周縁部に、上方に立ち上がるガイド壁が設けられており、上記ガイド壁の内側に色見本が嵌入され、色見本を構成する二次成形体に残るゲート跡が、上記ガイド壁によって隠されている請求項３記載の色見本付きテスター。
【請求項５】
上記胴体部の外周面と色見本の外周面とが面一に設定されており、上記胴体部外周面の上部と色見本外周面の下部とにまたがってシールが貼付され、色見本を構成する二次成形体に残るゲート跡が、上記シールによって隠されている請求項３記載の色見本付きテスター。
【発明の詳細な説明】
【技術分野】
【０００１】
本発明は、色の異なる２種類の樹脂成形体を一体化してなる二色成形体の製法およびそれによって得られる二色成形体、並びにそれを用いた色見本付きテスターに関するものである。
【背景技術】
【０００２】
従来から、ファンデーション等を収容したコンパクト容器や、口紅等の棒状化粧料の繰り出し容器といった化粧料容器には、軽量で耐久性があり、豊富な外観デザインを簡単に付与することができる等の理由から、樹脂成形体が多く用いられている。
【０００３】
このような樹脂成形体は、通常、単一色の樹脂成形体で構成されているが、近年、その外観をより印象的なものにするために、内側が着色樹脂で形成され、外側が透明樹脂で成形された二色成形体を用いることが提案されている。
【０００４】
例えば、図１６は、棒状化粧料の繰り出し容器のうち、その繰り出し部２を保持する本体部３に、着色された一次成形体４と透明な二次成形体５とで構成された二色成形体を適用した例を示している（特許文献１参照）。
【０００５】
上記二色成形体は、通常、つぎのようにして得ることができる。すなわち、まず、図１７（ａ）に示すように、第１の金型Ａを用いて、着色樹脂からなる一次成形体４を成形した後（図１７〔ｂ〕参照）、図１８（ａ）に示すように、上記一次成形体４を、第２の金型Ｂ内に配置（通常、下型は金型Ａ、Ｂ共通）し、一次成形体４の周囲に透明樹脂からなる二次成形体５を成形する。これを金型Ｂから脱型することにより、図１８（ｂ）に示すような二色成形体を得ることができる。
【特許文献１】特開２００５−１５３４６３公報
【０００６】
ところで、従来から、顧客が店頭で手軽に棒状化粧料を試供することのできるテスターとして、図１９に示すような形状のテスターが汎用されている。このものは、棒状化粧料を模した樹脂製の色見本６と、これを保持して陳列するための四角筒７とを備えており、上記四角筒７の内部には、試供用の棒状化粧料を収容した繰り出し筒８が、着脱自在に取り付けられている。なお、９は、上記テスターを並べて陳列するための陳列台である。
【０００７】
上記テスターは、口紅の色が一目でわかり、使い勝手がよいが、色見本６の部分が経時的に汚れたり劣化したりして色合いが悪くなりやすい、という問題がある。
【０００８】
そこで、上記色見本６の部分に二色成形体を用い、内側の一次成形体４によってテスターの色を提示し、その周囲を透明樹脂からなる二次成形体５で被覆することによって、その色が汚れたり劣化したりすることを防止してはどうか、との考えがある。
【発明の開示】
【発明が解決しようとする課題】
【０００９】
しかしながら、二色成形体を製造する金型は、上記図１７（ａ）および図１８（ａ）に示すように、一般に真上から下向きに射出ゲート１０が形成されているため、得られる二色成形体の天面には、図１８（ｂ）に示すように、必然的に、ゲート跡１１が残ることになる。このような二色成形体を、図１６に示す本体部３に用いる場合は、ゲート跡１１が残る面を底面としてゲート跡１１を隠すことができるが、図１９に示すテスターの色見本６のように、その天面を上向きにして用いると、ゲート跡１１が目立ってデザインの美観を損なうことになる。また色見本６となる一次成形体４を、透明な二次成形体５から透かして見る際、上記ゲート跡１１によって、その内側が見にくくなり、好ましくないという問題もある。
【００１０】
本発明は、このような事情に鑑みなされたもので、ゲート跡が目立たず、使い勝手のよい美麗な外観の二色成形体の製法と、それによって得られる二色成形体、並びにそれを用いた色見本付きテスターの提供を、その目的とする。
【課題を解決するための手段】
【００１１】
上記の目的を達成するため、本発明は、第１の金型を用い、所定の樹脂材料を射出成形することにより、有天略筒状の一次成形体を成形する工程と、第２の金型内に、上記一次成形体を配置し、その周囲に透明樹脂材料を射出成形することにより、上記一次成形体の天面および側面を覆って上記一次成形体と一体化する有天略筒状の二次成形体を成形する工程とを備え、上記第２の金型として、この金型によって得られる二次成形体の下端縁近傍にパーティングラインが形成されるよう構成されたものであって、その射出ゲートが、上記パーティングライン近傍に配置され、かつ二次成形体成形空間のうち、二次成形体の天面成形用空間の平均厚みが、同じく二次成形体の側面成形用空間の平均厚みの１．０５〜３．０倍に設定されたものを用いるようにした二色成形体の製法を第１の要旨とする。
【００１２】
また、本発明は、上記第１の要旨である製法によって得られる二色成形体であって、有天略筒状の一次成形体と、その天面および側面を覆う有天略筒状の透明な二次成形体とが一体化され、上記二次成形体のパーティングライン近傍に、二次成形体の射出成形時のゲート跡が残されているとともに、上記二次成形体における天面の平均厚みが、同じく二次成形体における側面の平均厚みの１．０５〜３．０倍に設定されている二色成形体を第２の要旨とする。
【００１３】
さらに、本発明は、化粧料の色見本付きテスターであって、内部に化粧料を収容する有天略筒状の胴体部と、上記胴体部の上面に取り付け固定される色見本とを備え、上記色見本が、上記第２の要旨である二色成形体によって構成され、上記二色成形体の一次成形体が、胴体部の内部に収容される化粧料と同一の色に着色された着色樹脂で形成されているとともに、上記色見本を構成する二次成形体に残るゲート跡が、上記胴体部の一部もしくは他の部材によって隠されている色見本付きテスターを第３の要旨とする。
【００１４】
そして、本発明は、上記第３の要旨である色見本付きテスターのなかでも、特に、上記胴体部の上面周縁部に、上方に立ち上がるガイド壁が設けられており、上記ガイド壁の内側に色見本が嵌入固定され、色見本を構成する二次成形体に残るゲート跡が、上記ガイド壁によって隠されている色見本付きテスターを第４の要旨とし、上記胴体部の外周面と色見本の外周面とが面一に設定されており、上記胴体部外周面の上部と色見本外周面の下部とにまたがってシールが貼付され、色見本を構成する二次成形体に残るゲート跡が、上記シールによって隠されている色見本付きテスターを第５の要旨とする。
【発明の効果】
【００１５】
すなわち、本発明は、二次成形体成形時に用いる金型として、この金型によって得られる二次成形体の下端縁近傍にパーティングラインが形成されるよう構成されたものであって、射出ゲートが、二次成形体のパーティングライン近傍の特定の位置となるよう配置された、特殊な金型を用いて二色成形体を得るようにしたものである。この製法によれば、従来、二色成形体の天面に残されていたゲート跡が、その側面下部や底面等の特定の位置に残ることになり、目立たないという利点を有する。また、この部分を相手部材と組み合わせる際、嵌合等によってこれを隠すことができ、ゲート跡のない天面を利用して、見栄えのよい商品を提供することができる。
【００１６】
そして、上記製法によって得られた二色成形体は、ゲート跡のない天面を利用した、見栄えのよい商品となるため、各種陳列品や表示物等に広く応用することができる。
【００１７】
また、本発明の色見本付きテスターは、上記二色成形体を、その天面側を上向きに用い、側面下方や底面等に残るゲート跡を隠して用いるようにしたものであるため、美麗な外観を呈する。しかも、色見本の色が透明な二次成形体で保護されているため、店頭で長期にわたって陳列しても、その色が汚れたり劣化して退色したりすることがないという優れた効果を奏する。
【００１８】
そして、上記色見本付きテスターのなかでも、特に、二色成形体からなる色見本を取り付ける胴体部の上面周縁部に、上方に立ち上がるガイド壁を設け、上記ガイド壁の内側に色見本を嵌入してゲート跡を隠したものは、外側からゲート跡が全く見えず、全体として美麗な外観となり、好適である。
【００１９】
また、上記色見本を取り付ける胴体部の外周面と色見本の外周面とを面一に設定し、上記胴体部外周面の上部と色見本外周面の下部とにまたがってシールを貼付してゲート跡を隠したものも、外側からゲート跡が全く見えず、全体として美麗な外観となり、好適である。
【発明を実施するための最良の形態】
【００２０】
つぎに、本発明を実施するための最良の形態について説明する。ただし、本発明は、この実施の形態に限られるものではない。
【００２１】
図１は、本発明を実施するための最良の形態を示す斜視図であり、図２（ａ）は、そのＡ−Ａ′断面図、図２（ｂ）は、図２（ａ）のＢ−Ｂ′断面図を示している。このものは、本発明の二色成形体を、棒状化粧料の色見本付きテスターに適用したもので、有天四角筒状の胴体部２０と、その上面に取り付け固定される色見本２１とを備え、胴体部２０の内側に、所定の繰り出し容器に装填された棒状化粧料（図示せず）が収容されるようになっている。
【００２２】
上記色見本２１は、有天略四角筒状の一次成形体２２と、その天面および側面を覆う有天略四角筒状の二次成形体２３とが一体的に形成された二色成形体で構成されている。そして、上記一次成形体２２は、上記胴体部２０内に収容される棒状化粧料の色と同一の色に着色された着色樹脂を用いて形成されており、上記二次成形体２３は、透明樹脂を用いて形成されている。
【００２３】
上記色見本２１は、つぎのようにして得ることができる。すなわち、まず、目的とする色の着色樹脂材料を用意し、第１の金型Ａ（図示せず）を用いて射出成形を行うことにより、図３（ａ）に示すような、有天略四角筒状の一次成形体２２を得る。ただし、この一次成形体２２の各側面２４は、これを上から見た図３（ｂ）に示すように、それぞれその上下方向に延びる中央線２５が谷線になっていて、各側面２４が浅く凹んでいる。そして、上記一次成形体２２の天面２６の中心点２６ａは、周囲より高くなっており、四隅の鋭角同士を結ぶ対角線２７、２８が山線、鈍角同士を結ぶ対角線２９、３０が谷線になっている。
【００２４】
また、上記一次成形体２２の下部には、二次成形体２３の下面を受けるフランジ部３１が形成されており、そのフランジ部３１の下面から下向きに、胴体部２０（図２〔ａ〕参照）の上面と係合するための、左右一対の突片３２が設けられている。
【００２５】
上記一次成形体２２を、図５に示す第２の金型Ｂ内に配置して、その周囲に、透明樹脂材料を射出成形することにより、二次成形体２３を成形する。なお、上記第２の金型Ｂは、スライドコア３３を備えた下型３４と、二次成形体２３を成形するための空間３５を備えた上型３６からなり、上記下型３４は、一次成形体２２を成形する際に用いられた下型がそのまま用いられる。
【００２６】
そして、上記上型３６の射出ゲート３７は、上型３６の片側面の下端、すなわちパーティングラインＬに略重なる位置に形成されている。
【００２７】
上記金型Ｂを用いて射出成形を行った後、これを脱型することにより、図４（ａ）に示すような、一次成形体２２の側面２４および天面２６が二次成形体２３で覆われた、二色成形体を得ることができる。このものは、図４（ｂ）に示すように、一次成形体２２の色が、透明な二次成形体２３の内側に透けて見えるため、単なる着色成形品に比べて艶やかで美麗な外観を有し、見栄えがよい。特に、そのゲート跡４０が、二次成形体２３の一側面の下部、詳しくは、一次成形体２２と二次成形体２３のパーティングラインＬと略重なる位置に残されているため、それより上の部分が、滑らかで、非常に美麗である。
【００２８】
一方、上記二色成形体からなる色見本２１と組み合わせられる胴体部２０は、上記色見本２１の色を目立たせるために、シルバー蒸着された樹脂で形成されており、図２（ａ）およびそのＢ−Ｂ′断面部である図２（ｂ）に示すような構成になっている。すなわち、上記胴体部２０は、すでに述べたように、全体が有天四角形状で、その上面周縁部に、上方に立ち上がる四角筒状のガイド壁４１が設けられているとともに、その内側の左右２個所に、開口が長方形状の切欠き４２が形成されている。
【００２９】
そして、上記左右の切欠き４２に、前記色見本２１の下面に設けられた左右一対の係合用の突片３２を挿入して係合し、ガイド壁４１の内側に、前記色見本２１の底部を嵌入することにより、両者が一体化されている。この係合により、色見本２１の一側面下部に残されたゲート跡４０は、上記ガイド壁４１によって隠され、外側からは見えない状態となる。
【００３０】
なお、４３は、後述するアダプタ５２（図７〔ａ〕参照）の当たりとなるリブであり、４４は、同じく上記アダプタ５２の下部に設けられた係合用の突出部５３を係合させるための切欠き部である。
【００３１】
上記構成の色見本付きテスターによれば、色見本２１の色を示す一次成形体２２が、二次成形体２３で保護されているため、店頭で長期にわたって陳列しても、その色が汚れたり劣化して退色したりすることがないという優れた効果を奏する。そして、上記色見本２１を構成する二色成形体のゲート跡４０が、二色成形体の一側面下部に残っているものの、その下の胴体部２０から立設するガイド壁４１で隠れるようになっているため、美麗な外観がゲート跡４０で損なわれることがない。さらに、一次成形体２２の天面２６や側面２４は、デザイン的な見地から微妙な凹凸を有しているが、二次成形体２３で覆われた天面および側面は凹凸がなく、全体として各面が平坦面で形成されているため、この天面を上向きにして陳列等に供した場合、埃が溜まりにくく、掃除もしやすいという利点を備えている。
【００３２】
なお、上記の例において、色見本２１を構成する二色成形体を得るための、第２の金型Ｂは、すでに述べたように、射出ゲート３７が、パーティングラインＬと略重なる位置に形成されている（図５参照）、これが、本発明の第１の特徴である。すなわち、パーティングラインＬの近傍に、射出ゲート３７を設けることにより、得られる二色成形体に残るゲート跡４０（図４〔ｂ〕参照）を、二次成形体２３下端縁の、ごく目立たない位置に配置させることができ、上記の例のように、この部分を隠して用いることができる。
【００３３】
ただし、上記「パーティングラインＬの近傍」とは、パーティングラインＬに重なる点と、パーティングラインＬから高さ方向に１０ｍｍずれた点までの間をいい、なかでも、射出ゲート３７を、パーティングラインＬから高さ方向に３ｍｍずれた点までの間に収めることが好適である。射出ゲート３７の位置がそれ以上大きく上方に外れると、これを隠すための係合を大きくとったり、後述するように、この部分をシール等の別部材で隠す場合、その隠す部分を大きくしなければならないため、無駄が多くなるとともに、見栄えが悪くなって、本発明の趣旨から外れるからである。
【００３４】
また、上記第２の金型Ｂは、二次成形体２３の天面成形用空間の平均厚みＤが、同じく二次成形体２３の側面成形用空間の平均厚みＥの１．０５〜３．０倍に設定されたものを用いなければならない。これが、本発明の第２の特徴である。すなわち、二次成形体２３の成形時において、上記射出ゲート３７から射出された樹脂材料は、二次成形体２３の側面成形用空間下部から、一次成形体２２の側面２４に沿って左右方向に流れる流れと、上方向に流れて一次成形体２２の天面２６を乗り越えて反対側に到達する流れとが生じ、最終的に、射出ゲート３７が開口する側面とは反対側の側面において、上からの流れと左右の流れとが合流して、成形がなされるが、このように、異なる方向からの流れが合流して固化すると、その合流境界部にウェルドラインが形成される。
【００３５】
このとき、二次成形体２３の天面成形用空間の隙間が、側面形成用空間の隙間に比べて狭いと、樹脂材料がスムーズに一次成形体２２の天面を乗り越えて反対側の側面まで到達することができず、図６（ａ）に示すように、得られる二色成形体の天面や、左右の側面にまたがって、上記ウェルドラインＰが形成されることになる。これに対し、本発明のように、二次成形体２３の天面成形用空間の平均厚みＤを、同じく二次成形体２３の側面成形用空間の平均厚みＥの１．０５〜３．０倍に設定したものは、左右方向の樹脂の流れと、天面を乗り越えて反対側の側面に達する樹脂の流れのバランスがよく、図６（ｂ）に示すように、天面にはウェルドラインＰが形成されず、反対側の側面で２つのウェルドラインＰが合流する形となる。したがって、この面を、陳列時に背面側に配置したり、壁面に接した状態で陳列する等して、ウェルドラインＰを隠すことにより、見栄えをよくすることができる。
【００３６】
なお、上記「平均厚み」とは、天面側のように、その厚みが場所によって異なる場合は、図５に示すように、その最大厚みＤ1 と最小厚みＤ2 を足して２で割った値をいい、側面側のように、どの部分も同じ厚みの場合は、その厚みＥをいう。
【００３７】
上記色見本付きテスターを、実際に店頭に陳列して用いる場合、図７（ａ）に示すように、上記胴体部２０の内側には、繰り出し容器５０に収容されたテスター専用の棒状化粧料５１が、アダプタ５２を介して嵌合保持されるようになっている。そして、顧客がテスターの色を試してみたいときには、上記棒状化粧料５１を、上記繰り出し容器５０内から繰り出して使用することができるようになっている。なお、５５は、アダプタ５２内に棒状化粧料５１の繰り出し容器５０を嵌合保持するためのガイド片である。
【００３８】
すなわち、上記アダプタ５２には、図７（ａ）のＣ−Ｃ′矢視図である図７（ｂ）および図７（ａ）のＤ−Ｄ′断面図である図７（ｃ）に示すように、その下端部の左右２個所に、側方に突出する係合用の突出部５３が形成されており、胴体部２０の下端部に形成された切欠き部４４と、上記突出部５３が嵌合し、アダプタ５２の上端面および外周面の上部が、胴体部２０の内側に設けられたリブ４３に押し付けられた状態で取り付けられている。そして、上記胴体部２０の切欠き部４４からやや飛び出した突出部５３を指で挟んで内側に押すと、上記係合が外れて、アダプタ５２を胴体部２０から取り出すことができるようになっている。
【００３９】
また、上記色見本付きテスターには、図８（ａ）に示すように、前記アダプタ５２を介することなく、直接、商品である棒状化粧料５１′を、その商品容器５６ごと、胴体部２０内に取り付けることができるようになっている。これは、テスター専用の棒状化粧料５１が使い尽くされた場合に、上記商品である棒状化粧料５１′を、テスターとして利用できるよう考慮したものである。
【００４０】
上記色見本付きテスターによれば、どちらの形態で用いるにしても、その内側に保持された棒状化粧料５１、５１′の色と同一の色の着色樹脂からなる一次成形体２２の色を目印として、これを使用することができるため、使い勝手がよい。
【００４１】
また、上記の例は、色見本２１として用いる二色成形体に残るゲート跡４０を、胴体部２０の上面から立設するガイド壁４１で隠すようにしたが、上記ガイド壁４１の形状は、四角筒状に限らず、胴体部２０の形状やゲート跡４０の位置に応じて、適宜の形状にすることができる。また、ゲート跡４０を隠す方法も、これに限るものではなく、適宜の構成を採用することができる。例えば、図８（ｂ）に示すように、胴体部２０の外周面と色見本２１と外周面とが面一となるよう設定し、胴体部２０の外周面上部と、色見本２１の外周面下部とにまたがって、帯状のシール６０を貼付して両者を一体化し、かつゲート跡４０を隠すようにしても差し支えない。
【００４２】
なお、色見本２１と胴体部２０との取り付け形態によっては、必ずしも上記シール６０を、外周全体にわたって貼付する必要はなく、ゲート跡４０を隠す小さなシールを貼付するだけでもよい。シールの位置が低く目立たないからである。
【００４３】
また、本発明において、前記二色成形体を得るために用いられる金型Ａ、Ｂとしては、さまざまなバリエーションのものが考えられる。ただし、いずれも、二色成形体の二次成形体に残るゲート跡４０が、そのパーティングライン近傍となるように、金型Ｂにおける射出ゲート３７の配置を工夫することが必要である。
【００４４】
ちなみに、前記の例のように、フランジ部３１を有する一次成形体２２と、その天面および側面を覆う二次成形体２３とが一体的に形成された二色成形体（図４参照）を得るのに最適な金型Ａ、Ｂの例を、図９（ａ）、（ｂ）に示す。
【００４５】
上記金型Ａの上型３６には、原料樹脂注入路（スプール）６９が形成されており、下型３４には、一次成形用のランナー７０と射出ゲート（捨てゲート）７１とが設けられている。また、上記金型Ｂの上型３６′には、スプール７２と、上記下型３４のランナー７０および射出ゲート７１に相対向する配置で、ランナー７３および射出ゲート（捨てゲート）７４が形成されており、下型３４は、上記金型Ａと共通である。
【００４６】
したがって、まず上記金型Ａを用いて一次成形体２２を射出成形した後、金型Ａの上型３６のみを、二次成形用の上型３６′に交換し、下型３４はそのまま用いたものを金型Ｂとして用い、射出成形することにより、一次成形体２２の周囲に二次成形体２３が一体的に形成された二色成形体を得ることができる。なお、射出ゲート７１、７４とランナー７１、７３において硬化した樹脂は、脱型後、後加工によって二色成形体からカットされる。
【００４７】
このようにして得られる二色成形体には、パーティングラインＬにほぼ重なった状態でゲート跡が残るが、前述の各種の方法によって、これを隠した状態で陳列等に供することができる。なお、図９（ｂ）において、Ｇは、二次成形体に残るゲート跡の位置を示している（以下の図においても同じ）。
【００４８】
また、フランジ部３１のない二色成形体を得る場合は、二次成形体の下端面がパーティングラインＬに接した状態で成形することができるため、例えば図１０（ａ）、（ｂ）に示すように、金型Ａ、Ｂで共用される下型３４として、一次成形用の射出ゲート７５と、二次成形用の射出ゲート７６とを上向きに設けたものを用いることにより、二次成形体の下端面にゲート跡が残る二色成形体を得ることができる。したがって、このものは、側面にゲート跡が残る場合よりも、ゲート跡が目立たない点で、好適である。
【００４９】
さらに、上記と同様、フランジ部３１のない二色成形体を得る場合に、金型Ａ、Ｂに共用する下型３４として、図１１（ａ）、（ｂ）に示すように、一次成形用の射出ゲート７５が、一次成形体を形成するための有天筒状空間の、天面部まで貫通形成されたものを用いることができる。７６は二次成形用の射出ゲートである。この金型Ａ、Ｂによって得られる二色成形体も、二次成形体の下端面にゲート跡が残ることになり、ゲート跡が目立たない。
【００５０】
また、上記と同様、一次成形用の射出ゲート７５が、一次成形体を形成するための有天筒状空間の、天面部まで貫通形成された下型３４を用いる場合において、例えば、図１２（ａ）、（ｂ）に示すように、上記下型３４に、二次成形用のスプール７６を上向きに設け、二次成形用の上型３６′側に設けられたランナー７７と射出ゲート７８に連通するようにしてもよい。この場合も、上記ランナー７７と射出ゲート７８において硬化した樹脂は、脱型後、後加工時にカットされる。
【００５１】
さらに、図１３（ａ）、（ｂ）に示すように、金型Ａ、Ｂに共通する下型３４に、一次成形用のランナー７９と、二次成形用のランナー８０を設け、金型Ａにおける上型３６に、スプール８１と射出ゲート（サブマリンゲート）８２を設け、金型Ｂにおける上型３６′に、スプール８３と射出ゲート（サブマリンゲート）８４を設けるようにしてもよい。上記射出ゲート８２、８４によれば、脱型時に、ゲート内の硬化樹脂が自動的にカットされて除去されるため、通常の捨てゲートのように後加工によってこれをカットする必要がなく、製造上有利である。しかし、その反面、得られるゲート跡が、パーティングラインＬに略重なる位置ではなく、少し上になる（通常、３〜１０ｍｍ）ため、これを他の部材との係合やシール等によって隠そうとすれば、その係合部やシールをそれだけ大きくしなければならず、外観的にあまり好ましくない。
【００５２】
そこで、図１４（ａ）、（ｂ）に示すように、金型Ａの上型３６として、上記図１３（ａ）と同様の射出ゲート（サブマリンゲート）８２を設けたものを用いる一方、金型Ｂの上型３６′としては、前記図９（ｂ）に示すものと同様、スプール７２とランナー７３と射出ゲート７４とを設けたものを用いると、得られる二色成形体に残るゲート跡が、パーティングラインＬのごく近傍に位置することになり、好適である。
【００５３】
また、図１５（ａ）、（ｂ）に示すように、金型Ａ、Ｂに共通して用いる下型３４として、一次成形用と二次成形用の２つの捨てゲート（本発明においては、これらも「射出ゲート」に含まれる）８５、８６を設けるとともに、これらに連通するスプール８７、８８を設けたものを用いてもよい。この場合も、上記捨てゲート８５、８６内に残留する硬化樹脂は、脱型後、後加工でカットされる。
【００５４】
このように、本発明では、二次成形体に残るゲート跡を、隠しやすい、もしくは目立ちにくい配置とするために、上記いくつかの例を含む各種の金型Ａ、Ｂを用いることができる。そして、上記の例は、いずれも、金型Ａ、Ｂとして、下型３４を共用し、上型３６、３６′のみを交換するタイプのものを用いているが、下型３４の共用は、必ずしも必要ではなく、それぞれ別個の金型Ａ、Ｂを用いることもできる。
【００５５】
そして、本発明において、二色成形体の形状は、有天略四角筒状に限らず、天面を表示等に利用できるような各種形状を採用することができる。例えば、有天円筒状、有天楕円筒状、有天多角筒状等をあげることができる。そして、内側の一次成形体２２の天面形状や側面形状も、前記の例のように凹凸をつけたり、曲面にしたり、成形上の制約がない限り、種々のデザインを付与することができる。
【００５６】
もちろん、一次成形体２２において、前記の例のようにフランジ部３１を有する形状であっても、フランジ部３１を有しない形状であってもよい。フランジ部３１を有する形状の場合、二次成形体２３とのパーティングラインＬが側面に位置し、その結果、ゲート跡４０が側面下部に残るようになっているが、上記フランジ部３１を設けない場合、例えば図１０や図１１、図１５に示す金型Ａ、Ｂを用いて成形される場合等においては、すでに述べたように、パーティングラインＬが、二色成形体の底面に位置し、ゲート跡４０が底面に残るようになるため、ゲート跡４０を特に隠す必要がない。
【００５７】
そして、本発明の二色成形体は、色見本付きテスターに限らず、各種スイッチや押しボタン等の表示物や、装飾物に適用することができる。
【図面の簡単な説明】
【００５８】
【図１】本発明の一実施例を示す斜視図である。
【図２】（ａ）は図１のＡ−Ａ′断面図、（ｂ）は（ａ）のＢ−Ｂ′断面図である。
【図３】（ａ）は上記実施例に用いられる二色成形体のうち、一次成形体を示す縦断面図、（ｂ）はその天面形状の説明図である。
【図４】（ａ）は上記実施例に用いられる二色成形体を示す縦断面図、（ｂ）はその斜視図である。
【図５】上記実施例に用いられる二色成形体の製造方法の説明図である。
【図６】（ａ）および（ｂ）は、ともに二次成形体に形成されるウェルドラインの説明図である。
【図７】（ａ）は上記実施例の使用態様の説明図、（ｂ）はその部分的なＣ−Ｃ′矢視図、（ｃ）は同じくＤ−Ｄ′断面図である。
【図８】（ａ）は上記実施例の他の使用態様の説明図、（ｂ）は本発明の他の実施例の説明図である。
【図９】（ａ）および（ｂ）は、ともに本発明の二色成形体の製造に用いられる金型の一例を示す説明図である。
【図１０】（ａ）および（ｂ）は、ともに本発明の二色成形体の製造に用いられる金型の変形例を示す説明図である。
【図１１】（ａ）および（ｂ）は、ともに本発明の二色成形体の製造に用いられる金型の変形例を示す説明図である。
【図１２】（ａ）および（ｂ）は、ともに本発明の二色成形体の製造に用いられる金型の変形例を示す説明図である。
【図１３】（ａ）および（ｂ）は、ともに本発明の二色成形体の製造に用いられる金型の変形例を示す説明図である。
【図１４】（ａ）および（ｂ）は、ともに本発明の二色成形体の製造に用いられる金型の変形例を示す説明図である。
【図１５】（ａ）および（ｂ）は、ともに本発明の二色成形体の製造に用いられる金型の変形例を示す説明図である。
【図１６】従来の、二色成形体を用いた化粧料容器の分解説明図である。
【図１７】（ａ）は上記二色成形体における一次成形体の製造方法の説明図、（ｂ）は得られる一次成形体の説明図である。
【図１８】（ａ）は上記二色成形体における二色成形体の製造方法の説明図、（ｂ）は得られる二色成形体の説明図である。
【図１９】従来の色見本付きテスターの説明図である。
【符号の説明】
【００５９】
２２  一次成形体
２３  二次成形体
【図１】
0005154983.tif 000002
【図２】
0005154983.tif 000003
【図３】
0005154983.tif 000004
【図４】
0005154983.tif 000005
【図５】
0005154983.tif 000006
【図６】
0005154983.tif 000007
【図７】
0005154983.tif 000008
【図８】
0005154983.tif 000009
【図９】
0005154983.tif 000010
【図１０】
0005154983.tif 000011
【図１１】
0005154983.tif 000012
【図１２】
0005154983.tif 000013
【図１３】
0005154983.tif 000014
【図１４】
0005154983.tif 000015
【図１５】
0005154983.tif 000016
【図１６】
0005154983.tif 000017
【図１７】
0005154983.tif 000018
【図１８】
0005154983.tif 000019
【図１９】
0005154983.tif 000020